(57)【要約】【課題】ＢＳの発生と成長を抑制することのできる画像形成装置を提供すること。【解決手段】本発明の画像形成装置１は，感光体ドラム２０と，帯電装置３０と，露光装置４０と，一成分現像方式の現像装置５０と，転写装置６０と，クリーニングブレード７０とを有するものであって，一成分現像剤が，トナーと，トナーと同じ帯電極性である第１の外添材と，トナーと逆の帯電極性である第２の外添材とを有し，クリーニングブレード７０より下流で帯電装置３０より上流の位置で感光体ドラム２０に接触する導電部材８０と，導電部材８０にバイアス電圧を印加する電源８３とを有し，印加されるバイアス電圧は，導電部材８０の直前の位置での感光体ドラム２０の表面電位を基準としたときに，帯電装置３０における帯電極性と逆向きであり，かつ，感光体ドラム２０と導電部材８０との間の放電開始電圧よりも絶対値にて大きい。【選択図】図１
2008151869.tif 000002
【特許請求の範囲】
【請求項１】
像担持体と，前記像担持体の表面を帯電させる帯電器と，前記帯電器により帯電させられた前記像担持体の表面に静電潜像を形成する露光器と，形成された静電潜像上に一成分現像剤でトナー像を形成する現像器と，形成されたトナー像を被転写体に転写させる転写器と，転写後に前記像担持体上に残ったトナーを除去するクリーニング部材とを有する画像形成装置において，
前記現像器が用いる一成分現像剤が，トナーと，前記トナーと同じ帯電極性である第１の外添材と，トナーと逆の帯電極性である第２の外添材とを有するものであり，
前記クリーニング部材より下流で前記帯電器より上流の位置で前記像担持体に接触する導電部材と，
前記導電部材にバイアス電圧を印加する電圧印加部とを有し，
前記電圧印加部により前記導電部材に印加されるバイアス電圧は，前記クリーニング部材より下流で前記導電部材より上流の位置での前記像担持体の表面電位を基準としたときに，
前記帯電器における帯電極性と逆向きであり，かつ，
前記像担持体と前記導電部材との間の放電開始電圧よりも絶対値にて大きいことを特徴とする画像形成装置。
【請求項２】
請求項１に記載の画像形成装置において，
前記電圧印加部により前記導電部材に印加されるバイアス電圧は，前記クリーニング部材より下流で前記導電部材より上流の位置での前記像担持体の表面電位を基準としたときに，前記像担持体と前記導電部材との間の絶縁破壊電圧よりも絶対値にて小さいことを特徴とする画像形成装置。
【発明の詳細な説明】
【技術分野】
【０００１】
本発明は，レーザービームプリンタや複写機等の像担持体を有する画像形成装置に関する。さらに詳細には，トナーと，トナーと同一極性の外添材と，トナーと逆極性の外添材とをともに含む一成分現像剤を用いる画像形成装置に関するものである。
【背景技術】
【０００２】
従来より，像担持体を帯電・露光して静電潜像を形成し，その静電潜像をトナーで現像することによりトナー像を形成する画像形成装置がある。このような画像形成装置では，像担持体上に形成されたトナー像を用紙等に転写させた後に，像担持体上に残る残留トナーを除去するためのクリーニング装置を有するものも多い。このクリーニング装置としては，例えばクリーニングブレードが用いられる。
【０００３】
また，この画像形成装置に用いられる一成分現像剤としては，トナーに外添材を添加したものが多く用いられている。特に近年では，トナーの小径化の要望により，トナーと同一極性の外添材とトナーと逆極性の外添材との２種類の外添材を使用しているものがある。トナーと同一極性の外添材としては，無機化合物微粒子が用いられ，一般に疎水化したシリカ（コロイダルシリカを乾燥させたもの）が多く用いられている。この外添材を加えることにより，トナーの帯電性を補うことができる。また，トナーと逆極性の外添材としては，例えば酸化金属が用いられている。この外添材を加えることにより，トナーの流動性が高められ，現像や転写時の効率が上昇される。
【０００４】
このような２種の外添材を含む現像剤を，クリーニングブレードを有する装置でクリーニングすると，外添材がトナーから遊離しがちである。一般に外添材はトナーに比較して非常に小さい粒子であるため，クリーニングブレードをすり抜けて像担持体上に残り，画像ノイズの原因となることがあった。これに対し，２層構造のクリーニングブレードを有する画像形成装置が提案されている（例えば，特許文献１参照。）。この文献には，クリーニングブレードの背面に導電体部を設けて，その導電体部にトナーと同極性でかつ放電開始電圧より低い直流バイアスを印加する画像形成装置が開示されている。これにより，その導電体部にトナーと逆極性の外添材が吸着され，クリーニング性が向上するとされている。
【特許文献１】特開平１１−３８８４８号公報
【発明の開示】
【発明が解決しようとする課題】
【０００５】
しかしながら，前記した従来の画像形成装置では，いわゆるブラックスポット（ＢＳ）を十分に除去できるとは言えなかった。外添材のかなりのものがクリーニングブレードで除去されるものの，わずかにすり抜けるものが発生することを完全には防止できないからである。そして，トナーと同一極性の外添材がクリーニングブレードをすり抜けた場合，像担持体上に付着したまま帯電装置に対面することにより，トナーと同様に帯電されてしまう。さらに，この帯電された外添材粒子に，トナーと逆極性の外添材が吸い寄せられるため，外添材が凝集してしまうのである。これを繰り返して，この塊がある程度以上の大きさとなると，紙上で視認できる程度のノイズの原因となってしまう。
【０００６】
なお，このノイズは正転現像装置を使用した画像形成装置では，黒い点となって現れるため，ブラックスポットと名付けられた。反転現像装置を使用した画像形成装置では，白い点となって現れるが，この名称を継承して使用している。以下では，ノイズの原因となる外添材の凝集物を「ＢＳ」，ＢＳの中心となるトナーと同一極性の外添材粒子を「ＢＳの核」と記載する。
【０００７】
本発明は，前記した従来の画像形成装置が有する問題点を解決するためになされたものである。すなわちその課題とするところは，ＢＳの発生と成長を抑制することのできる画像形成装置を提供することにある。
【課題を解決するための手段】
【０００８】
この課題の解決を目的としてなされた本発明の画像形成装置は，像担持体と，像担持体の表面を帯電させる帯電器と，帯電器により帯電させられた像担持体の表面に静電潜像を形成する露光器と，形成された静電潜像上に一成分現像剤でトナー像を形成する現像器と，形成されたトナー像を被転写体に転写させる転写器と，転写後に像担持体上に残ったトナーを除去するクリーニング部材とを有する画像形成装置であって，現像器が用いる一成分現像剤が，トナーと，トナーと同じ帯電極性である第１の外添材と，トナーと逆の帯電極性である第２の外添材とを有するものであり，クリーニング部材より下流で帯電器より上流の位置で像担持体に接触する導電部材と，導電部材にバイアス電圧を印加する電圧印加部とを有し，電圧印加部により導電部材に印加されるバイアス電圧は，クリーニング部材より下流で導電部材より上流の位置での像担持体の表面電位を基準としたときに，帯電器における帯電極性と逆向きであり，かつ，像担持体と導電部材との間の放電開始電圧よりも絶対値にて大きいものである。
【０００９】
本発明の画像形成装置によれば，転写後に像担持体上に残った現像剤のうち，クリーニング部材をすり抜けた外添材は，その下流の位置で導電部材に接触される。導電部材には，電圧印加部によってバイアス電圧が印加されているので，これに接触することによって外添材の荷電状態が変化される。さらに，導電部材に印加されるバイアス電圧は，クリーニング部材より下流で導電部材より上流の位置での像担持体の表面電位を基準としたときに，帯電器における帯電極性と逆向きとされている。従って，トナーと同じ帯電極性である第１の外添材は，ここで帯電極性と逆向きの電圧を受けるので，除電されることになる。従って，クリーニング部材をすり抜けた第１の外添材がＢＳの核となることが抑制されている。また，このバイアス電圧は，像担持体と導電部材との間の放電開始電圧よりも絶対値にて大きいものとされているので，さらに効果的に除電される。
【００１０】
さらに本発明では，電圧印加部により導電部材に印加されるバイアス電圧は，クリーニング部材より下流で導電部材より上流の位置での像担持体の表面電位を基準としたときに，像担持体と導電部材との間の絶縁破壊電圧よりも絶対値にて小さいことが望ましい。このようにすれば，像担持体の絶縁層が，導電部材に印加されるバイアス電圧によって破壊されるおそれはない。
【発明の効果】
【００１１】
本発明の画像形成装置によれば，ＢＳの発生と成長を抑制することができる。
【発明を実施するための最良の形態】
【００１２】
以下，本発明を具体化した最良の形態について，添付図面を参照しつつ詳細に説明する。本形態は，いわゆるタンデム方式のカラー画像形成装置に本発明を適用したものである。
【００１３】
本形態の画像形成装置１の主要部は，図１にその概略構成を示すように，各色の画像形成部１０Ｙ，１０Ｍ，１０Ｃ，１０Ｂｋ，中間転写ベルト１１，２次転写装置１２，ベルトクリーナ１３を有している。各色の画像形成部１０Ｙ，１０Ｍ，１０Ｃ，１０Ｂｋは，中間転写ベルト１１に沿って配置されている。中間転写ベルト１１は図中矢印Ａで示すように回転されている。その中間転写ベルト１１上に，各色の画像形成部によって各色のトナー像が重ね合わされて形成される。重ね合わされたトナー像は，２次転写装置１２によって記録紙１４に転写される。また，２次転写後も中間転写ベルト１１上に残ったトナーは，ベルトクリーナ１３によって掻き取られる。なお以下では，特に区別の必要がない場合には，各色の添字ＹＭＣＢｋを省略して記載する。
【００１４】
各色の画像形成部１０はいずれも同じ構成である。各画像形成部１０は，図１に示すように，感光体ドラム２０を中心として，その周囲に帯電装置３０，露光装置４０，現像装置５０，転写装置６０，クリーニングブレード７０を有している。以上の各装置は，それぞれいずれも，一般的な画像形成装置において使用されているものと同様のものを使用する。
【００１５】
感光体ドラム２０は，導電層の周囲に感光層が設けられている。そして，画像形成時には図中時計回りに回転される。この感光体ドラム２０の感光層は，帯電装置３０によって均一に帯電され，露光装置４０によって静電潜像が形成される。さらに，その静電潜像上に現像装置５０でトナー像が形成され，そのトナー像は転写装置６０によって中間転写ベルト１１上に転写される。転写後も感光体ドラム２０上に残留したトナーは，クリーニングブレード７０によって掻き取られる。
【００１６】
さらに，本形態の画像形成装置１では，クリーニングブレード７０と帯電装置３０との間の位置に導電部材８０が備えられている。導電部材８０は，図２に示すように，導電部８１，導電性フィルム８２，電源８３を有している。導電部８１は，電源８３の電圧を受けて，導電性フィルム８２に帯電装置３０とは逆極性のバイアス電圧を印加する。ここでは，電源８３を直流電源としており，導電性フィルム８２には直流バイアス電圧が印加されている。導電性フィルム８２の先端部（図中右下）は，感光体ドラム２０の表面に接触されている。また，導電性フィルム８２の図中奥行き方向長さは，感光体ドラム２０の感光部分より少し短く，画像領域より長く形成されている。
【００１７】
本形態の画像形成装置１の現像装置５０では，重合法によって形成された一成分現像剤を用いる。また，負帯電トナーを使用する。本形態の現像装置５０は反転現像装置であり，負帯電トナーを使用することから，帯電装置３０は感光体ドラム２０を負に帯電させるものである。一方，導電部材８０の導電部８１は，導電性フィルム８２に正のバイアス電圧を印加する。
【００１８】
トナーに添加される外添材としては，トナーと帯電極性が同極性のシリカ，およびトナーと帯電極性が逆極性のチタン酸塩を適量混合したものとする。このシリカが第１の外添材に相当し，チタン酸塩が第２の外添材に相当する。そして例えば，シリカをトナーに対して０．０５〜２．０重量％添加し，チタン酸塩をトナーに対して０．１〜３．０重量％添加したものが望ましい。ここでは，シリカとしてキャボット製のＴＧ−８１１Ｆまたはワッカー製のＨ１３０３を，また，チタン酸塩としてチタン酸ストロンチウムを添加した。
【００１９】
次に，この導電部材８０に印加されるバイアス電圧の適切な大きさについて説明する。感光体ドラム２０の感光層の表面電位は一般に，電圧が印加された部材がその表面に接触されることにより影響を受ける。しかし，その部材に印加されている電圧が所定の電圧以下であれば，感光層の表面電位はほとんど影響を受けないことが分かっている。感光体ドラム２０の感光層の表面電位が，接触する部材の影響を受ける最も小さいバイアス電圧の絶対値を，放電開始電圧という。本形態では，感光体ドラム２０の表面電位が変化する程度のバイアス電圧を印加することが必要であるので，導電部材８０には絶対値にてこの放電開始電圧以上の電圧を印加する。
【００２０】
さらに，感光体ドラム２０の表面の絶縁層は，その外部に，感光層を基準として絶対値である程度以上の大きさの電圧をかけると破壊され，導通されてしまうことが知られている。この電圧を絶縁破壊電圧という。この電圧は一般的には２０００Ｖ程度であり，これ以上の電圧を導電部材８０に印加することは好ましくない。以上のことから，導電部材８０に印加するバイアス電圧Ｖｄの範囲は，絶対値で以下の（式１）の範囲内とすることが好ましい。
放電開始電圧  ≦  Ｖｄ  ＜  絶縁破壊電圧    …（式１）
【００２１】
なお，この（式１）に示したバイアス電圧Ｖｄは，導電部材８０に接触する直前の感光体ドラム２０の表面電位を基準としたものである。すなわち，クリーニングブレード７０より下流で導電部材８０より上流の位置での感光体ドラム２０の表面電位を基準としている。
【００２２】
本形態では，画像形成時に転写後も感光体ドラム２０上に残留した外添材のうち，クリーニングブレード７０をすり抜けたものは，感光体ドラム２０の表面に付着して回転され，導電部材８０に接触される。このとき，導電部材８０に上記のような範囲の正のバイアス電圧が印加されていることから，外添材は導電部材８０によって正の向きに荷電状態が変化する。外添材のうち，トナーと同様に負に帯電されているシリカは，導電部材８０に接触することによって負の荷電量が減少する。従って，ＢＳの核となる可能性のあるシリカは除電される。
【００２３】
感光体ドラム２０がさらに回転され，上記のように荷電量が変化した外添材は，次に帯電装置３０に対面して，負に帯電される。導電部材８０によってシリカの負の荷電量は小さくなっているので，帯電装置３０で負に帯電されても，像担持体に強く固着することはない。また，そのまま現像装置５０を通っても，逆極性の外添材であるチタン酸塩を特に強く吸着することはない。すなわち，ＢＳの核となり得る程度の負の荷電量を有することはない。従って，ＢＳの成長は抑制される。そして，次回のクリーニング時にクリーニングブレード７０によって，残っていた外添材のほとんどが削り取られるので，ノイズは抑制されている。
【００２４】
さらに，本発明者らは，上記のバイアス電圧Ｖｄの範囲について次のようにして検証した。まず，コニカミノルタ製ｍａｇｉｃｏｌｏｒ５４４０ＤＬ用のイメージングカートリッジを改造したものを試験機として用いて，導電部８１の印加電圧を変化させ，感光体ドラム２０の放電開始電圧を調べた。すなわち，図３に示すように，感光体ドラム２０の表面には，クリーニングブレード７０，導電部８１を取り付けた導電性フィルム８２，の２部材のみを接触させた。導電部８１には，高電圧発生部（ＨＶ）８４を取り付けて，印加電圧を変化させることができるようにした。また，導電性フィルム８２の下流側に表面電位測定用プローブ８５を設けて，感光体ドラム２０の表面電位を検出した。
【００２５】
その実験結果を図４に破線Ｌ１で示す。破線Ｌ１の横軸は導電部８１への印加バイアス電圧（Ｖ）であり，縦軸は右辺の感光体電位（Ｖ）である。図４に示すように，導電部８１への印加バイアス電圧の絶対値が小さく，感光体電位が０Ｖとなる（すなわち，導電性フィルム８２の接触前から変化しない）非放電範囲がある。ここではおよそ−５７０Ｖ〜５７０Ｖの範囲が非放電範囲であった。そして，印加するバイアス電圧の絶対値がこれを超えると，感光体電位は急激に変化した。この非放電範囲の境界の電圧が放電開始電圧である。すなわち，正の放電開始電圧は，５７０Ｖであることが分かった。この電圧は絶縁破壊電圧よりはかなり小さい電圧である。
【００２６】
次に，上記のように放電開始電圧を把握した上で，画像形成装置１において導電部材８０に印加する電圧を変化させ，ＢＳの発生状況を調査した。その結果を図４に実線Ｌ２で示す。この実線Ｌ２の横軸は導電部８１への印加バイアス電圧（Ｖ）であり，縦軸は左辺のＢＳ被覆率（％）である。この図に示すように，導電部材８０のバイアス電圧を次第に上昇させていくと，放電開始電圧の近くでＢＳ被覆率が大幅に減少した。なお，このＢＳ被覆率は，感光体ドラム２０の表面状態を写真に撮影し，その画像データを二値化して単位面積当たりのＢＳの占める面積率を求めたものである。一般に，ＢＳ被覆率が６％程度以上となると，画像上にノイズとして視認される。
【００２７】
この実験結果から，Ｖｄの範囲を上記の（式１）の範囲内，本試験例では，
５７０Ｖ  ≦  Ｖｄ  ＜  ２０００Ｖ
とすれば，ＢＳ被覆率は約３％以下となるので，ノイズは抑制されていると言える。なお，導電部８１へバイアス電圧を印加するタイミングは特に限定されない。常時印加していてもよいし，画像形成時のみ印加するようにしてもよい。あるいは，複数種のバイアス電圧値を用意しておき，所定のタイミングで切り替えることとしてもよい。例えば，画像形成時に帯電バイアスと同極性のバイアスを印加して，補助帯電装置として機能させることもできる。
【００２８】
以上詳細に説明したように，本形態の画像形成装置では，クリーニングブレード７０より下流で帯電装置３０より上流の位置に導電部材８０を設けている。そして，導電性フィルム８２に帯電装置３０とは逆向きのバイアス電圧を印加して，感光体ドラム２０に接触させている。さらにそのバイアス電圧値は，直前の感光体ドラム２０の表面電位を基準として，絶対値で放電開始電圧以上で絶縁破壊電圧より小さいものとしている。従って，クリーニングブレード７０をすり抜けた，トナーと同極性の外添材は導電部材８０によって適切に除電され，ＢＳの核となることが防止されている。これにより，ＢＳの発生と成長を抑制することができる。
【００２９】
なお，本形態は単なる例示にすぎず，本発明を何ら限定するものではない。したがって本発明は当然に，その要旨を逸脱しない範囲内で種々の改良，変形が可能である。
例えば，上記の形態では導電部材８０に印加する電圧を直流電圧としているが，交流電圧であっても同様の効果が得られる。また，感光体ドラム２０に接触させる部材を導電性フィルムとしたが，感光体ドラム２０の表面にムラ無く接触できる部材であればフィルムに限るものではない。ブレードやローラ等によって実施することも可能である。また，トナーに含まれる外添材は２種類以上であれば，さらに多種類のものが含まれていてもよい。また，二次転写方式に限らず，直接転写方式の画像形成装置にも適用可能である。また，タンデム方式のカラー画像形成装置に限らず，モノクロの画像形成装置や複写機，ＦＡＸ等にも適用可能である。
【図面の簡単な説明】
【００３０】
【図１】本形態に係る画像形成装置の主要部の概略構成を示す断面図である。
【図２】導電部材を示す説明図である。
【図３】感光体ドラムの帯電特性を調査した装置を示す説明図である。
【図４】導電部材の印加バイアス電圧と感光体ドラムの表面電位およびＢＳ被覆率との関係を示すグラフ図である。
【符号の説明】
【００３１】
１  画像形成装置
２０  感光体ドラム
３０  帯電装置
４０  露光装置
５０  現像装置
６０  転写装置
７０  クリーニングブレード
８０  導電部材
８３  電源
【図１】
2008151869.tif 000003
【図２】
2008151869.tif 000004
【図３】
2008151869.tif 000005
【図４】
2008151869.tif 000006